(57)【特許請求の範囲】
【請求項１】
プラグの接続部を継手先端側から軸方向に受入れる略円筒状の本体部と、前記本体部の径方向外側に固定される略円筒状のカバー部と、前記本体部の外周部位で軸方向に移動自在な略円筒状のスリーブ部と、を備え、
前記本体部が前記プラグを受入れた受入れ状態において、前記プラグに対する前記本体部の軸方向移動を規制し、前記プラグが前記本体部から離脱した離脱状態において、前記本体部に対する前記スリーブ部の継手先端側への移動を規制するプラグロック機構を備え、
前記本体部の継手基端側から前記スリーブ部を継手先端側に付勢する付勢機構を備え、
前記プラグロック機構により前記プラグと前記本体部との軸方向における相対移動が阻止される接続状態において前記スリーブ部が継手先端側に突出し、前記プラグと前記本体部との軸方向における相対移動が許容され、前記プラグロック機構により前記本体部に対する前記スリーブ部の継手先端側への移動が規制される非接続状態において、前記スリーブ部が継手基端側に引退するように構成され、
前記本体部は、前記スリーブ部の継手先端側への移動を阻止可能なスリーブ突出阻止部を備え、
前記スリーブ部の内周面と前記本体部の外周面との間に形成される空間に、前記スリーブ突出阻止部に連通する空間と外部空間との連通をシールするシール部材を備え、
前記本体部が前記プラグを受入れる接続操作時に、前記スリーブ部の継手先端側への移動に伴って当接して発音する発音当接部を、前記スリーブ部と前記カバー部との間に設け、
前記カバー部は、前記スリーブ部の少なくとも一部を径方向外側から覆う被覆部を備え、
前記発音当接部は、前記スリーブ部の外周面に設けられたスリーブ側発音当接部と、前記被覆部の内周面に設けられたカバー側発音当接部とにより形成され、
前記スリーブ部に関し、前記離脱状態から前記受入れ状態への状態変更が、軸方向に於ける継手先端側のみへの移動を伴って起こされる継手部材。
【請求項２】
プラグの接続部を継手先端側から軸方向に受入れる略円筒状の本体部と、前記本体部の径方向外側に固定される略円筒状のカバー部と、前記本体部の外周部位で軸方向に移動自在な略円筒状のスリーブ部と、を備え、
前記本体部が前記プラグを受入れた受入れ状態において、前記プラグに対する前記本体部の軸方向移動を規制し、前記プラグが前記本体部から離脱した離脱状態において、前記本体部に対する前記スリーブ部の継手先端側への移動を規制するプラグロック機構を備え、
前記本体部の継手基端側から前記スリーブ部を継手先端側に付勢する付勢機構を備え、
前記プラグロック機構により前記プラグと前記本体部との軸方向における相対移動が阻止される接続状態において前記スリーブ部が継手先端側に突出し、前記プラグと前記本体部との軸方向における相対移動が許容され、前記プラグロック機構により前記本体部に対する前記スリーブ部の継手先端側への移動が規制される非接続状態において、前記スリーブ部が継手基端側に引退するように構成され、
前記スリーブ部の内周面と前記本体部の外周面との間に形成される空間に、前記プラグロック機構に連通する空間と外部空間との連通をシールするシール部材を備え、
前記本体部が前記プラグを受入れる接続操作時に、前記スリーブ部の継手先端側への移動に伴って当接して発音する発音当接部を、前記スリーブ部と前記カバー部との間に設け、
前記カバー部は、前記スリーブ部の少なくとも一部を径方向外側から覆う被覆部を備え、
前記発音当接部は、前記スリーブ部の外周面に設けられたスリーブ側発音当接部と、前記被覆部の内周面に設けられたカバー側発音当接部とにより形成され、
前記スリーブ部に関し、前記離脱状態から前記受入れ状態への状態変更が、軸方向に於ける継手先端側のみへの移動を伴って起こされる継手部材。
【請求項３】
前記カバー側発音当接部は、前記被覆部の内周面から径方向内側に突出して形成された突状部により形成され、
前記スリーブ部は、当該スリーブ部に対する前記突状部の相対移動範囲に対応した軸方向における一部の領域において、当該スリーブ部の外周面から径方向内側に引退して形成された引退部を備え、
前記スリーブ側発音当接部は、前記引退部の継手基端側の端部により形成されている請求項１又は２に記載の継手部材。
【請求項４】
前記シール部材は、前記スリーブ突出阻止部に対して継手先端側及び継手基端側の双方にそれぞれ配設されている請求項１記載の継手部材。
【請求項５】
前記プラグロック機構は、前記本体部における周方向の所定位置に形成された当該本体部の外周面と内周面とを連通する貫通孔と、前記貫通孔に径方向移動自在に装着されるロック用ボールとを備え、
前記ロック用ボールは、前記離脱状態では、前記本体部の外周面に対して径方向外側に突出した状態で前記本体部に対する前記スリーブ部の継手先端側への移動を規制し、前記受入れ状態では、前記本体部の内周面に対して径方向内側に突出した状態で前記プラグに対する前記本体部の軸方向移動を規制する請求項１から４の何れか一項記載の継手部材。
【発明の詳細な説明】
【技術分野】
【０００１】
本発明は、プラグに接続された際に接続音が発生する継手部材に関する。
【背景技術】
【０００２】
本願の対象となる継手部材は、プラグに対して着脱自在にホース等（例えば、ガスホース）を接続する際に、当該ホース等に接続されて使用されるものである。このような継手部材の従来例として、例えば下記の特許文献１に開示された技術がある。特許文献１に記載の構成では、継手部材８は、筒状本体３０と、作動部材３２と、摺動部材３４と、ロック用ボール３６と、カバー部材３８と、を備えている（段落〔００２０〕、図２）。そして、継手部材８をプラグ６に接続する際には、操作者は、継手部材８のカバー部材３８を持ってプラグ６に押し込む。この操作により、プラグ６の接続部４が継手先端側から筒状本体３０の内部に受入れられる。そして、接続部４の筒状本体３０内への進入に伴い作動部材３２が継手基端側に移動し、作動部材３２が接続用の所定位置に到達すると、ロック用ボール３６が接続部４に形成されたロック溝部１６に嵌り込み、継手部材８とプラグ６とが接続状態となる（段落〔００２９〕、図３）。
【０００３】
なお、継手部材８とプラグ６との接続状態を維持すべく、ロック用ボール３６がロック溝部１６に嵌り込むと、摺動部材３４が継手先端側に移動し、ロック用ボール３６のロック溝部１６からの離脱が規制される。この際、摺動部材３４は、当該摺動部材３４に形成された傾斜面５２が筒状本体３０に形成された傾斜面５４に当接するまで、第２スプリング部材７６の付勢力により移動し、傾斜面５２と傾斜面５４とが当接する際に音が発生する。よって、操作者はこの音を、プラグに対する継手部材の接続操作の完了を知らせる接続音として認識することができる。
【０００４】
なお、解除操作では、プラグ６に接続固定された状態の継手部材８において、摺動部材３４をプラグ６から離間する側に操作することで、プラグ６との接続が解除される。
【先行技術文献】
【特許文献】
【０００５】
【特許文献１】特開２００６−９９０６号公報
【発明の概要】
【発明が解決しようとする課題】
【０００６】
ところで、上記特許文献１の図２、図３に示されているような構成では、シール部材６６による接続部４と作動部材３２との間のシールが十分でない場合に、ロック用ボール３６の配設位置を介してガスが筒状本体３０と摺動部材３４との間に形成される空間に侵入し、当該空間を介して継手部材の外部空間に漏洩するおそれがある。このようなガスの漏洩を防ぐべく、上記特許文献１には、筒状本体３０の外周面と摺動部材３４の内周面との間に形成される空間に、シール部材８６，８８を配設する構成が開示されている（段落〔００４０〕、図７））。しかしながら、このような構成とすると、上記の接続音発生箇所（傾斜面５４）の継手先端側及び継手基端側の双方にそれぞれシール部材が配設されることになり、当該接続音が継手部材の外部空間に伝播し難くなる。よって、本体部（筒状本体３０）の外周面にシール部材を備えることでガス漏洩の防止を図ることができるものの、操作者の利便性が低下してしまうおそれがある。
【０００７】
本発明は上記の課題に鑑みてなされたものであり、その目的は、プラグに接続された際に接続音が発生する継手部材において、接続状態を確実に認識することができる継手部材を提供することにある。
【課題を解決するための手段】
【０００８】
上記目的を達成するための本発明に係る継手部材の第一の特徴構成は、プラグの接続部を継手先端側から軸方向に受入れる略円筒状の本体部と、前記本体部の径方向外側に固定される略円筒状のカバー部と、前記本体部の外周部位で軸方向に移動自在な略円筒状のスリーブ部と、を備え、前記本体部が前記プラグを受入れた受入れ状態において、前記プラグに対する前記本体部の軸方向移動を規制し、前記プラグが前記本体部から離脱した離脱状態において、前記本体部に対する前記スリーブ部の継手先端側への移動を規制するプラグロック機構を備え、前記本体部の継手基端側から前記スリーブ部を継手先端側に付勢する付勢機構を備え、前記プラグロック機構により前記プラグと前記本体部との軸方向における相対移動が阻止される接続状態において前記スリーブ部が継手先端側に突出し、前記プラグと前記本体部との軸方向における相対移動が許容され、前記プラグロック機構により前記本体部に対する前記スリーブ部の継手先端側への移動が規制される非接続状態において、前記スリーブ部が継手基端側に引退するように構成され、前記本体部は、前記スリーブ部の継手先端側への移動を阻止可能なスリーブ突出阻止部を備え、前記スリーブ部の内周面と前記本体部の外周面との間に形成される空間に、前記スリーブ突出阻止部に連通する空間と外部空間との連通をシールするシール部材を備え、前記本体部が前記プラグを受入れる接続操作時に、前記スリーブ部の継手先端側への移動に伴って当接して発音する発音当接部を、前記スリーブ部と前記カバー部との間に設け、
前記カバー部は、前記スリーブ部の少なくとも一部を径方向外側から覆う被覆部を備え、
前記発音当接部は、前記スリーブ部の外周面に設けられたスリーブ側発音当接部と、前記被覆部の内周面に設けられたカバー側発音当接部とにより形成され、
前記スリーブ部に関して、前記離脱状態から前記受入れ状態への状態変更が、軸方向に於ける継手先端側のみへの移動を伴って起こされる点にある。
【０００９】
上記の第一の特徴構成によれば、プラグに接続された際に発生する接続音の発生部位である発音当接部が、スリーブ部とカバー部という何れも本体部に対して径方向外側に配設される部材の間に設けられる。よって、発音当接部にて発生した接続音は、シール部材が配設されているスリーブ部と本体部との間に形成される空間を通ることなく、継手部材の外部空間に伝播することができるとともに、発音当接部から継手部材の外部空間に至る音響伝播経路長を短く抑えることができる。よって、接続状態を確実に認識することができる。従って、本体部の外周面に設けられたシール部材が接続音の外部空間への伝播に与える影響を抑制することができ、本体部の外周面にシール部材を設けることによる操作者の利便性の低下を抑制することができる。
更には、上記第一の特徴構成によれば、カバー部は、スリーブ部の少なくとも一部を径方向外側から覆う被覆部を備え、発音当接部は、スリーブ部の外周面に設けられたスリーブ側発音当接部と、被覆部の内周面に設けられたカバー側発音当接部とにより形成されているから、発音当接部をカバー部に覆われた部分に形成することができる。
よって、カバー部に発音当接部を保護させることができ、発音当接部が損傷を受けるのを抑制することができる。また、カバー部は、操作者が継手部材を保持するのに使用される部位であるため、ある程度の大きさの部材で構成するのが好ましいが、この構成によれば、カバー部がスリーブ部の少なくとも一部を径方向外側から覆うように構成されるため、カバー部の大きさを小さく制限することなく発音当接部を設けることができる。
更には、スリーブ部に関して、離脱状態から受入れ状態への状態変更が、軸方向に於ける継手先端側のみへの移動で起こせる。
【００１０】
上記目的を達成するための本発明に係る継手部材の第二の特徴構成は、プラグの接続部を継手先端側から軸方向に受入れる略円筒状の本体部と、前記本体部の径方向外側に固定される略円筒状のカバー部と、前記本体部の外周部位で軸方向に移動自在な略円筒状のスリーブ部と、を備え、前記本体部が前記プラグを受入れた受入れ状態において、前記プラグに対する前記本体部の軸方向移動を規制し、前記プラグが前記本体部から離脱した離脱状態において、前記本体部に対する前記スリーブ部の継手先端側への移動を規制するプラグロック機構を備え、前記本体部の継手基端側から前記スリーブ部を継手先端側に付勢する付勢機構を備え、前記プラグロック機構により前記プラグと前記本体部との軸方向における相対移動が阻止される接続状態において前記スリーブ部が継手先端側に突出し、前記プラグと前記本体部との軸方向における相対移動が許容され、前記プラグロック機構により前記本体部に対する前記スリーブ部の継手先端側への移動が規制される非接続状態において、前記スリーブ部が継手基端側に引退するように構成され、前記スリーブ部の内周面と前記本体部の外周面との間に形成される空間に、前記プラグロック機構に連通する空間と外部空間との連通をシールするシール部材を備え、前記本体部が前記プラグを受入れる接続操作時に、前記スリーブ部の継手先端側への移動に伴って当接して発音する発音当接部を、前記スリーブ部と前記カバー部との間に設け、
前記カバー部は、前記スリーブ部の少なくとも一部を径方向外側から覆う被覆部を備え、
前記発音当接部は、前記スリーブ部の外周面に設けられたスリーブ側発音当接部と、前記被覆部の内周面に設けられたカバー側発音当接部とにより形成され、
前記スリーブ部に関し、前記離脱状態から前記受入れ状態への状態変更が、軸方向に於ける継手先端側のみへの移動を伴って起こされる点にある。
【００１１】
上記の第二の特徴構成によれば、プラグに接続された際に発生する接続音の発生部位である発音当接部が、スリーブ部とカバー部という何れも本体部に対して径方向外側に配設される部材の間に設けられる。よって、発音当接部にて発生した接続音は、シール部材が配設されているスリーブ部と本体部との間に形成される空間を通ることなく、継手部材の外部空間に伝播することができるとともに、発音当接部から継手部材の外部空間に至る音響伝播経路長を短く抑えることができる。よって、接続状態を確実に認識することができる。
【００１２】
更には、上記第二の特徴構成によれば、カバー部は、スリーブ部の少なくとも一部を径方向外側から覆う被覆部を備え、発音当接部は、スリーブ部の外周面に設けられたスリーブ側発音当接部と、被覆部の内周面に設けられたカバー側発音当接部とにより形成されているから、発音当接部をカバー部に覆われた部分に形成することができる。
よって、カバー部に発音当接部を保護させることができ、発音当接部が損傷を受けるのを抑制することができる。また、カバー部は、操作者が継手部材を保持するのに使用される部位であるため、ある程度の大きさの部材で構成するのが好ましいが、この構成によれば、カバー部がスリーブ部の少なくとも一部を径方向外側から覆うように構成されるため、カバー部の大きさを小さく制限することなく発音当接部を設けることができる。
更には、スリーブ部に関して、離脱状態から受入れ状態への状態変更が、軸方向に於ける継手先端側のみへの移動で起こせる。
【００１３】
また、前記発音当接部が前記スリーブ側発音当接部と前記カバー側発音当接部とにより形成されている構成において、前記カバー側発音当接部は、前記被覆部の内周面から径方向内側に突出して形成された突状部により形成され、前記スリーブ部は、当該スリーブ部に対する前記突状部の相対移動範囲に対応した軸方向における一部の領域において、当該スリーブ部の外周面から径方向内側に引退して形成された引退部を備え、前記スリーブ側発音当接部は、前記引退部の継手基端側の端部により形成されていると好適である。
【００１４】
この構成によれば、接続操作に伴い、スリーブ側発音当接部がカバー側発音当接部に当接することで接続音を発音させたり、スリーブ側発音当接部がカバー側発音当接部を押し上げることで、すなわち、カバー側発音当接部がスリーブ側発音当接部に乗り上げることで、接続音を発音させることができる。また、発音当接部を形成するスリーブ側発音当接部とカバー側発音当接部との双方を簡素な構成とすることができ、継手部材を製造する際の発音当接部の形成工程を簡素なものとすることができる。
【００１５】
また、前記本体部が前記スリーブ突出阻止部を備える構成において、前記シール部材は、前記スリーブ突出阻止部に対して継手先端側及び継手基端側の双方にそれぞれ配設されていると好適である。
【００１６】
スリーブ突出阻止部に対して継手先端側及び継手基端側の双方にそれぞれシール部材が配設されている構成では、シールを確実なものとすることができるが、スリーブ突出阻止部を発音当接部として利用しても、スリーブ突出阻止部にて発音された接続音を継手部材の外部空間に効率良く伝播させるのは困難である。本発明は、このような構成の継手部材に特に適している。
【００１７】
また、前記プラグロック機構は、前記本体部における周方向の所定位置に形成された当該本体部の外周面と内周面とを連通する貫通孔と、前記貫通孔に径方向移動自在に装着されるロック用ボールとを備え、前記ロック用ボールは、前記離脱状態では、前記本体部の外周面に対して径方向外側に突出した状態で前記本体部に対する前記スリーブ部の継手先端側への移動を規制し、前記受入れ状態では、前記本体部の内周面に対して径方向内側に突出した状態で前記プラグに対する前記本体部の軸方向移動を規制すると好適である。
【００１８】
この構成によれば、貫通孔に径方向移動自在に装着されるロック用ボールの径方向位置により、本体部に対するスリーブ部の継手先端側への移動を規制する状態と、プラグに対する本体部の軸方向移動を規制する状態とを切り替えることができ、本発明を簡素な構成で実現することができる。
【図面の簡単な説明】
【００１９】
【図１】本発明の実施形態に係る継手部材の非接続状態を説明するための継手部材及びプラグの軸方向断面図である。
【図２】本発明の実施形態に係る継手部材の非接続状態から接続状態に至る過程を示すための説明図である。
【図３】本発明の実施形態に係る継手部材の接続状態を説明するための継手部材及びプラグの軸方向断面図である。
【発明を実施するための形態】
【００２０】
本発明に係る継手部材の実施形態について図面に基づいて説明する。なお、本発明は以下に説明する実施形態や図面に記載される構成に限定されるものではなく、同様の作用効果を奏する構成であれば種々の改変が可能である。
ここでは、本発明を、ガス供給源からのガス（例えば、都市ガス等）が供給されるプラグに着脱自在に接続される継手部材に適用した場合を例として説明する。図１に示すように、本実施形態に係る継手部材１は、プラグ５０に接続された際の接続音の発生部位である発音当接部４が、カバー部４０の内周面に設けられたカバー側発音当接部４３と、スリーブ部３０の外周面に設けられたスリーブ側発音当接部３３とにより、スリーブ部３０とカバー部４０との間に形成されていることに特徴を有している。以下、本実施形態に係る継手部材１について、「継手部材の構成」、「接続音の発生機構」の順に説明する。
【００２１】
なお、以下の説明において、継手部材１及びそれを構成する構成要素に関して、プラグ５０が接続される側を「先端側」とし、そのプラグ接続側とは反対側のホース２が接続される側を「基端側」とする。すなわち、図１において、左側が継手部材１及びそれを構成する構成要素に関して先端側（以下、継手先端側という場合がある。）となり、右側が継手部材１及びそれを構成する構成要素に関して基端側（以下、継手基端側という場合がある。）となる。一方、プラグ５０に関して、継手部材１に接続される側を「先端側」とし、その継手部材接続側とは反対側を「基端側」とする。すなわち、図１において、右側がプラグ５０に関して先端側（以下、プラグ先端側という場合がある。）となり、左側がプラグ５０に関して基端側（以下、プラグ基端側という場合がある。）となる。
【００２２】
また、以下の説明では、特に断らない限り、「軸方向」、「径方向」及び「周方向」の各方向は、略円筒状の本体部２０を基準として定めている。すなわち、「軸方向」は本体部２０の中心軸線に沿った方向（図１における左右方向）を、「径方向」は当該軸方向に対して直交する方向を、「周方向」は本体部２０の中心軸線回りの周回方向（又はその接線方向）を表すものとする。
【００２３】
なお、本実施形態では、第２コイルバネ３５が、本発明における「付勢機構」に相当し、第３シール部材６６及び第４シール部材６７が、本発明における「シール部材」に相当する。
【００２４】
１．継手部材の構成
本実施形態に係る継手部材１は、内部に軸方向に延びるガス流路が形成されており、図１に示すように、本体部２０と、作動部８０と、カバー部４０と、スリーブ部３０と、コネクタ３と、を備えている。本体部２０、作動部８０、カバー部４０、及びスリーブ部３０は何れも略円筒状の部材であり、同軸状に配置されている。なお、本体部２０、作動部８０、カバー部４０、及びスリーブ部３０の構成については、後に詳細に説明する。コネクタ３は本体部２０に連結されており、ガス消費機器等のガス供給先側に一端が接続されたホース２の他端を接続するための部位である。ホース２は、例えば、ゴムホース等の可撓性の材料で形成されたものが用いられる。
【００２５】
ここで、本実施形態に係る継手部材１が接続されるプラグ５０の構成について簡単に説明する。なお、このようなプラグ５０については公知であるためここでは詳細な説明は省く。図１に示すように、プラグ５０は、プラグ本体と、継手部材１が接続される接続部５１と、を備えて構成されている。このようなプラグ５０は、例えば、ガス供給元である壁内配管からガスが供給されるガス栓等に備えられている。そして、接続部５１は、基端側から先端側に向けて、第１環状部５５、ロック用凹部５３、及び第２環状部５６を備えている。なお、本例では、第１環状部５５と第２環状部５６とは同径に構成されている。また、ロック用凹部５３は、接続部５１の外周の周方向に沿って形成されており、本例では、周方向に直交する断面の形状が略台形状の溝状部とされている。
【００２６】
プラグ５０の内部には、基端側から先端側に渡る軸方向に沿った流体流路と、弁体５８と、弁座５９とが備えられている。そして、弁座５９に対する弁体５８の位置により、上記流体流路におけるガスの流通を許容する開放状態と、当該流体流路におけるガスの流通を阻止する閉止状態とが切り替わるように構成されている。このような開放状態と閉止状態との切替を可能にすべく、継手部材１には押圧部材２６が設けられている。
【００２７】
そして、このようなプラグ５０に着脱自在に接続される継手部材１は、以下に述べる「接続状態」と、「非接続状態」と、「中間状態」とが選択的に実現可能（切替可能）に構成されている。ここで、接続状態（「受入れ状態」ともいう。）は、プラグ５０の接続部５１が本体部２０の内部に進入しているとともに、ロック用ボール２４がロック用凹部５３に嵌まり込み、プラグ５０に対する本体部２０の軸方向移動が規制されている状態である。言い換えれば、接続状態（受入れ状態）は、本体部２０が接続部５１を受入れて、作動部８０が継手基端側に移動されるとともに、ロック用ボール２４が内径側へ移動して接続部５１に設けられるロック用凹部５３に落ち込み、プラグ５０と本体部２０との軸方向における相対移動が阻止される状態である。また、非接続状態は、作動部８０が第１コイルバネ８１の付勢力に抗して継手基端側に押し込まれていない状態である。具体的には、非接続状態は、プラグ５０が本体部２０から離脱して、作動部８０が継手先端側に移動されるとともに、ロック用ボール２４が内径側への移動を阻止される「離脱状態」と、作動部８０とプラグ５０とが当接（本例では、第２シール部材６５を介して当接）しているが、作動部８０が離脱状態における位置から継手基端側に移動していない「半接続状態」とを含む。さらに、中間状態は、接続状態及び非接続状態以外の状態であり、具体的には、作動部８０とプラグ５０とが当接しているとともに、作動部８０が第１コイルバネ８１の付勢力に抗して継手基端側に押し込まれているが、ロック用ボール２４がロック用凹部５３に嵌まり込んでいない状態である。よって、図１は離脱状態を示す図であり、図２（ａ）は半接続状態に切り替わる直前の状態を示す図であり、図２（ｂ）は中間状態を示す図であり、図２（ｃ）及び図３は、接続状態を示す図である。
【００２８】
１−１．本体部の構成
本体部２０は、図１に示すように、プラグ５０の接続部５１を継手先端側から軸方向に受入れる略円筒状の部材である。この本体部２０の内部に形成される空間は、プラグ５０の接続部５１を収容するための空間であるとともに、接続状態において、プラグ５０から供給されるガスを流通させる流路として機能する。図３に示すように、本体部２０の筒状部の内径は、接続部５１の第１環状部５５及び第２環状部５６の外径より僅かに大きく形成されており、接続部５１の本体部２０内への進入を許容するように構成されている。そして、プラグ５０から供給されたガスは、軸方向に沿って継手基端側に流れ、コネクタ３を介してホース２に供給される。
【００２９】
本体部２０は、プラグロック機構２２と、プラグ５０の弁体５８に作用し当該弁体５８をプラグ５０の基端側に押圧する押圧部材２６とを備えている。プラグロック機構２２は、本体部２０がプラグ５０を受入れた受入れ状態（接続状態）において、プラグ５０に対する本体部２０の軸方向移動を規制し、プラグ５０が本体部２０から離脱した離脱状態において、本体部２０に対するスリーブ部３０の継手先端側への移動を規制する機構である。本実施形態では、プラグロック機構２２は、本体部２０における周方向の所定位置（本例では、周方向における３箇所）に形成された本体部２０の外周面と内周面とを連通する貫通孔２５と、貫通孔２５のそれぞれに径方向移動自在に装着されるロック用ボール２４とを備えて構成されている。図３に示すように、貫通孔２５の軸方向位置は、接続状態における接続部５１のロック用凹部５３の軸方向位置と略一致するように構成されている。また、ロック用ボール２４は、例えば、鋼球で構成され、本例では、鋼球の直径は、貫通孔２５の内径より僅かに小さく設定されている。
【００３０】
図１に示すように、離脱状態では、ロック用ボール２４は本体部２０の外周面に対して径方向外側に突出した状態で、本体部２０に対するスリーブ部３０の継手先端側への移動を規制する。この際、ロック用ボール２４の径方向内側には作動部８０の先端側端部の外周面が位置し、ロック用ボール２４の径方向内側（内径側）への移動を規制している。半接続状態においても同様である。
【００３１】
また、図２（ｂ）に示すように、中間状態でも、ロック用ボール２４は本体部２０の外周面に対して径方向外側に突出した状態で、本体部２０に対するスリーブ部３０の継手先端側への移動を規制する。一方、中間状態におけるロック用ボール２４の径方向内側（内径側）への移動は、作動部８０により規制される状態と、接続部５１（第２環状部５６の外周面）により規制される状態と、作動部８０と接続部５１の双方により規制される状態とがあり、本体部２０に対する接続部５１の軸方向における位置関係により何れかの状態をとる。図２（ｂ）は、ロック用ボール２４の径方向内側への移動が、接続部５１（第２環状部５６の外周面）により規制される状態を示している。
【００３２】
一方、図２（ｃ）及び図３に示すように、接続状態（受入れ状態）では、ロック用ボール２４は、径方向内側（内径側）に移動し、ロック用凹部５３に嵌まり込んだ状態、すなわち、本体部２０の内周面に対して径方向内側に突出した状態で、プラグ５０に対する本体部２０の軸方向移動を規制する。この状態では、ロック用ボール２４の径方向外側への移動は、スリーブ部３０の内周面により規制される。よって、一度接続状態になると、スリーブ部３０が継手基端側に移動しない限り、ロック用ボール２４はロック用凹部５３から離脱せず、接続状態が維持される。このように、ロック用凹部５３は、接続状態においてロック用ボール２４の一部を挿入するための凹部である。
【００３３】
押圧部材２６は、プラグ５０の弁体５８に作用し、プラグ５０の状態を開放状態と閉止状態との間で切り替えるための部材である。具体的には、押圧部材２６は、接続部５１の本体部２０内への進入に伴い接続部５１の内部に進入する。そして、接続部５１の本体部２０内への進入深さに応じて押圧部材２６と弁体５８との距離が定まり、図３に示す接続状態では、押圧部材２６の継手先端側の端部が弁体５８をプラグ基端側に押圧し、弁体５８を弁座５９から離間させる。これにより、接続状態ではプラグ５０が開放状態となり、プラグ５０から継手部材１を介してホース２にガスが供給される。
【００３４】
ところで、本体部２０は、継手先端側にスリーブ突出阻止部２１を備えている。具体的には、図１に示すように、スリーブ突出阻止部２１は、本体部２０の外周面における貫通孔２５より継手先端側に形成されている。このスリーブ突出阻止部２１は、周方向の全域に亘って一様に形成されており、スリーブ部３０に周方向の全域に亘って一様に形成された傾斜面３２と径方向位置が重複するように、すなわち、軸方向視にて重複するように構成されている。これにより、スリーブ突出阻止部２１は、当該スリーブ突出阻止部２１と傾斜面３２とが当接する位置より継手先端側へスリーブ部３０が移動するのを阻止することが可能となっている。
【００３５】
本実施形態では、スリーブ突出阻止部２１は、法線方向が軸方向に交差する傾斜面とされている。具体的には、スリーブ突出阻止部２１は、その法線方向が傾斜面３２の法線方向と略同一になるように構成されている。なお、図３に示すように、本例では、接続状態においてもスリーブ突出阻止部２１は、傾斜面３２と当接せず、傾斜面３２と僅かに離間した状態で対向するように構成されている。すなわち、スリーブ突出阻止部２１はスリーブ部３０の継手先端側への移動を阻止可能であるが、本例では、通常の使用状態では、スリーブ部３０の継手先端側への移動を阻止しない構成となっている。但し、何らかの理由により、カバー部４０の突状部４１によるスリーブ部３０の継手先端側への移動の阻止が不完全であった場合には、スリーブ突出阻止部２１は傾斜面３２に当接し、スリーブ部３０の継手先端側への移動を阻止する。
【００３６】
そして、本体部２０は、内周面に第１シール部材６１を備えているとともに、外周面に第３シール部材６６を備えている。第１シール部材６１は、本体部２０の内周面に周方向に沿って形成された溝部に配設される略円環状の部材である。具体的には、第１シール部材６１は、本体部２０の内径面におけるロック用ボール２４の位置より軸方向における継手先端側に配設されている。そして、図２（ｃ）及び図３に示すように、接続状態では、第１シール部材６１は接続部５１の外周面（第１環状部５５の外周面）に対して径方向外側から当接し、本体部２０の内周面と接続部５１の外周面との間に形成される空間について、第１シール部材６１の配設位置より継手基端側の空間と、当該位置より継手先端側の空間との連通を気密的にシールする。
【００３７】
一方、第３シール部材６６は、図１に示すように、本体部２０の外周面に周方向に沿って形成された溝部に配設される略円環状の部材である。そして、第３シール部材６６は、スリーブ部３０の内周面に対して径方向内側から当接し、本体部２０の外周面とスリーブ部３０の内周面との間に形成される空間について、第３シール部材６６の配設位置より継手基端側の空間と、当該位置より継手先端側の空間との連通を気密的にシールする。
【００３８】
このような第１シール部材６１や第３シール部材６６は、例えばゴム材等から構成される。本実施形態では、図１に示すように、第１シール部材６１は、周方向に直交する断面における形状が略Ｔ字状のゴム部材（ゴム製リング、ゴム製パッキン等）とされており、図３に示すように、屈曲した状態で接続部５１の外周面に当接する。一方、第３シール部材６６は、周方向に直交する断面における形状が略Ｕ字状のゴム部材（ゴム製リング、ゴム製パッキン等）とされている。
【００３９】
１−２．作動部の構成
作動部８０は、図１に示すように、本体部２０の内周部位で、当該本体部２０に対して軸方向に移動自在に構成されているとともに、本体部２０に対して継手先端側に付勢されている略円筒状の部材である。図１に示すように、作動部８０は、第１コイルバネ８１により本体部２０に対して継手先端側に付勢されているとともに、接続部５１の先端に当接する略円環状の第２シール部材６５を継手先端側の端部に備えている。この作動部８０の第１コイルバネ８１の付勢力による継手先端側への突出は、後述するように、本体部２０に設けられた突状部２７により阻止される。そして、第２シール部材６５は、図２（ｃ）及び図３に示すように、接続状態において接続部５１のプラグ先端側端部に当接し、接続部５１と作動部８０との間の空間について、第２シール部材６５の配設位置より径方向内側の空間と、当該位置より径方向外側の空間との連通を気密的にシールする。第２シール部材６５は、例えばゴム材等から構成される。本実施形態では、図１に示すように、第２シール部材６５は、周方向に直交する断面における形状が略Ｕ字状のゴム部材（ゴム製リング、ゴム製パッキン等）とされている。
【００４０】
作動部８０の本体部２０に対する軸方向位置は、プラグ５０に対する継手部材１の接続に関する状態に応じて定まる。すなわち、図１に示すように、非接続状態では、作動部８０は継手先端側に位置する。以下、この状態における作動部８０の軸方向の位置を「非接続位置」という。作動部８０は、非接続位置において、その先端部の外周面がロック用ボール２４に対して径方向内側から当接する。これにより、ロック用ボール２４は本体部２０の外周面から径方向外側に突出した状態となり、本体部２０に対するスリーブ部３０の継手先端側への移動が規制される。なお、作動部８０は、本体部２０の内周面に形成された突状部２７に当接する当接部８２を有している。これにより、第１コイルバネ８１の付勢力により継手先端側に付勢されている作動部８０は、当接部８２が突状部２７に当接すると、すなわち、上記非接続位置に位置すると、それ以上の継手先端側への移動が規制されるように構成されている。
【００４１】
一方、図２（ｃ）及び図３に示すように、接続状態では、作動部８０は継手基端側に位置する。以下、この状態における作動部８０の軸方向位置を「接続位置」という。接続位置に位置する作動部８０に対しては、第１コイルバネ８１の付勢力が作用するため、作動部８０は、第１コイルバネ８１の付勢力により接続部５１を継手先端側に押圧する。なお、この接続状態では、接続部５１はプラグロック機構２２により本体部２０に対する軸方向移動が規制されている。これにより、第２シール部材６５は、本体部２０に対して固定された接続部５１に対して継手先端側に押し付けられた状態となり、第２シール部材６５による接続部５１と作動部８０との間の空間におけるシールを良好なものとすることが可能となっている。よって、プラグ５０から供給されたガスが外部空間に漏洩することを抑制することができ、プラグ５０から供給されたガスを良好に本体部２０の基端側に導くことができる。なお、本実施形態では、第２シール部材６５に加え、第１シール部材６１、第３シール部材６６、及び後述する第４シール部材６７を備えることで、接続部５１と作動部８０との間に形成される空間における第２シール部材６５のシール性能が、異物混入や経年劣化等により低下した場合でも、ガスが継手部材１の外部空間へ漏洩することが抑制されている。
【００４２】
また、図２（ｂ）に示すように、中間状態では、作動部８０は非接続位置と接続位置との間の位置であって、接続部５１の本体部２０に対する進入の程度に応じて定まる位置に位置する。この中間状態では、接続状態と同様、第２シール部材６５は接続部５１のプラグ先端側端部に当接するため、作動部８０は、第１コイルバネ８１の付勢力により接続部５１を継手先端側に押圧する。そして、接続部５１が本体部２０の奥深くに進入すればするほど、作動部８０の軸方向位置が接続位置側に移動することになる。
【００４３】
１−３．カバー部の構成
カバー部４０は、図１に示すように、本体部２０の径方向外側に固定される略円筒状の部材である。カバー部４０は、継手部材１をプラグ５０に接続する際に、継手部材１を保持するのに使用されるものであるが、本発明では、このカバー部４０を利用して接続音を発生させる発音当接部４を構成している。本実施形態では、カバー部４０は本体部２０の基端側において固定されており、本体部２０と一体化されている。
【００４４】
本実施形態では、カバー部４０は、図１に示すように、基端側から先端側に向かって全体として僅かに拡径するように形成されている。このような形状に合わせて、カバー部４０の内周面には、先端側に向かって次第に拡径する拡径部が形成されており、当該拡径部と本体部２０の外周面との間に形成される空間に、第２コイルバネ３５が配設されている。第２コイルバネ３５は、後述するように、スリーブ部３０を本体部２０の継手基端側から継手先端側に付勢するためのものである。
【００４５】
また、カバー部４０は、スリーブ部３０の少なくとも一部を径方向外側から覆う被覆部４２を備えている。これにより、接続操作時に操作者に保持されるカバー部４０の大きさが小さく制限されることが抑制されている。本実施形態では、被覆部４２は、スリーブ部３０の基端側の一部を覆うように構成されている。被覆部４２は、内周面の径が軸方向に略一様に形成されているとともに、継手先端側の所定の軸方向位置に、当該内周面から径方向内側に突出して形成された突状部４１を備えている。
【００４６】
本例では、突状部４１は、カバー部４０の内周面における周方向全域に亘って一様に形成されている。そして、突状部４１は、図１に示すように、周方向に直交する断面の形状が、軸方向幅が径方向外側から径方向内側に向かって全体として縮小するように構成されており、当該突状部４１の径方向内側端部より継手基端側の端面がカバー側発音当接部４３とされている。すなわち、本実施形態では、カバー側発音当接部４３は、突状部４１により形成されている。詳細は後述するが、このカバー側発音当接部４３と後述するスリーブ側発音当接部３３とにより、プラグ５０に対する継手部材１の接続操作の完了を知らせる接続音を発生させるための発音当接部４が、スリーブ部３０とカバー部４０との間に形成されている。このように発音当接部４をカバー部４０に覆われた部分に形成することで、発音当接部４がカバー部４０により保護され、発音当接部４が損傷を受けるのが抑制される構成となっている。
【００４７】
１−４．スリーブ部の構成
スリーブ部３０は、本体部２０の外周部位で軸方向に移動自在な略円筒状の部材であり、本実施形態では、傾斜面３２と、引退部３４と、を備えている。スリーブ部３０は、継手部材１に備えられた第２コイルバネ３５により、本体部２０の継手基端側から継手先端側に付勢されている。
【００４８】
上記のように、非接続状態（図１及び図２（ａ）参照）及び中間状態（図２（ｂ）参照）では、ロック用ボール２４は本体部２０の外周面に対して径方向外側に突出した状態で、本体部２０に対するスリーブ部３０の継手先端側への移動を規制するように構成されている。このような構成を実現するため、スリーブ部３０には傾斜面３２が備えられている。非接続状態及び中間状態では、この傾斜面３２がロック用ボール２４に当接することで、スリーブ部３０の継手先端側への移動が規制される。すなわち、非接続状態及び中間状態では、第２コイルバネ３５により継手先端側へ付勢されているスリーブ部３０は、図１及び図２（ａ）に示すように、傾斜面３２とロック用ボール２４とが当接する位置に位置決めされる。この位置は、接続状態におけるスリーブ部３０の位置より継手基端側に引退した位置である。すなわち、プラグ５０と本体部２０との軸方向における相対移動が許容され、プラグロック機構２２により本体部２０に対するスリーブ部３０の継手先端側への移動が規制される非接続状態において、スリーブ部３０は継手基端側に引退するように構成されている。なお、この状態では、図１及び図２（ａ）に示すように、スリーブ部３０は本体部２０に対して、その継手先端側端面をほぼ同じくする位置に位置される。
【００４９】
一方、接続状態（図２（ｃ）及び図３参照）では、ロック用ボール２４はロック用凹部５３に嵌まり込み、本体部２０の内周面に対して径方向内側に突出する。そのため、スリーブ部３０の継手先端側への移動はプラグロック機構２２により規制されない。また、スリーブ部３０には、上記の突状部４１に当接するスリーブ側発音当接部３３が形成されている。接続状態では、第２コイルバネ３５により継手先端側へ付勢されているスリーブ部３０は、図２（ｃ）及び図３に示すように、スリーブ側発音当接部３３とカバー側発音当接部４３とが当接する位置に位置決めされる。この位置は、上記の非接続状態や中間状態におけるスリーブ部３０の位置より継手先端側に突出した位置である。すなわち、スリーブ部３０は、プラグロック機構２２によりプラグ５０と本体部２０との軸方向における相対移動が阻止される接続状態において継手先端側に突出するように構成されている。そして、この突出した状態では、スリーブ部３０の継手先端側への移動はカバー部４０の突状部４１により規制される。なお、図２（ｃ）及び図３に示すように、スリーブ部３０は、本体部２０から継手先端側に突出した状態で、プラグ５０の小径部５７を外嵌する。
【００５０】
また、接続状態では、上記のように、スリーブ部３０の内周面がロック用ボール２４の径方向外側への移動を規制し、接続状態が維持される。そのため、継手部材１をプラグ５０から取り外す際には、スリーブ部３０を本体部２０に対して継手基端側に移動させることでロック用ボール２４の径方向外側に傾斜面３２を位置させ、ロック用ボール２４をロック用凹部５３から離脱させる。これにより、プラグ５０に対する本体部２０の軸方向移動が許容され、継手部材１をプラグ５０から分離することができる。
【００５１】
ところで、図１に示すように、スリーブ部３０が備える引退部３４は、スリーブ部３０に対する突状部４１の相対移動範囲に対応した軸方向における一部の領域に、当該スリーブ部３０の外周面から径方向内側に引退して形成されている。本実施形態では、突状部４１がカバー部４０の内周面における周方向全域に亘って一様に形成されているのに合わせて、引退部３４もスリーブ部３０の外周面において周方向全域に亘って一様に形成されている。そして、この引退部３４の継手基端側端部により、スリーブ側発音当接部３３が形成されている。本例では、引退部３４の継手基端側端部における継手先端側を向く面が、スリーブ側発音当接部３３とされている。
【００５２】
引退部３４の軸方向における端部は、以下のように設定されている。すなわち、引退部３４の継手先端側端部の軸方向位置は、非接続状態において、カバー部４０の継手先端側の端部と同じ軸方向位置、或いは、カバー部４０の継手先端側の端部より継手先端側の軸方向位置となるように設定される。本実施形態では、図１に示すように、引退部３４の継手先端側端部の軸方向位置が、非接続状態において、カバー部４０の継手先端側の端部より継手先端側の軸方向位置となる場合を例として示している。
【００５３】
一方、引退部３４の継手基端側端部の軸方向位置は、接続状態において、スリーブ側発音当接部３３がカバー側発音当接部４３に当接可能なように設定される。すなわち、スリーブ側発音当接部３３とカバー側発音当接部４３が当接した状態で、傾斜面３２がスリーブ突出阻止部２１に当接するか、或いは、傾斜面３２がスリーブ突出阻止部２１より継手基端側に位置するように設定される。本実施形態では、図２（ｃ）及び図３に示すように、スリーブ側発音当接部３３とカバー側発音当接部４３が当接した状態で、傾斜面３２がスリーブ突出阻止部２１より継手基端側に位置し、当該スリーブ突出阻止部２１に当接しないように構成されている。
【００５４】
また、本実施形態では、スリーブ部３０は、第４シール部材６７を備えている。第４シール部材６７は、スリーブ部３０の内周面に周方向に沿って形成された溝部に配設される略円環状の部材である。そして、第４シール部材６７は、本体部２０の外周面に対して径方向外側から当接し、本体部２０の外周面とスリーブ部３０の内周面との間に形成される空間について、第４シール部材６７の配設位置より継手基端側の空間と、当該位置より継手先端側の空間との連通を気密的にシールする。このような第４シール部材６７は、ゴム材等から構成される。本実施形態では、図１に示すように、第４シール部材６７は、周方向に直交する断面における形状が略Ｕ字状のゴム部材（ゴム製リング、ゴム製パッキン等）とされている。
【００５５】
２．接続音の発生機構
次に、発音当接部４による接続音の発生機構について説明する。上記のように、本実施形態では、発音当接部４は、スリーブ側発音当接部３３と、カバー側発音当接部４３とにより形成されている。そして、本体部２０が接続部５１を受入れる接続操作時、より正確には、当該接続操作の完了時に、スリーブ側発音当接部３３とカバー側発音当接部４３との当接に伴い接続音が発生するように構成されている。以下、この接続音の発生機構について、図２（ａ）〜図２（ｃ）に基づいて説明する。
【００５６】
プラグ５０への継手部材１の接続操作に際しては、プラグ５０の接続部５１を本体部２０に継手先端側から軸方向に受入れるように、継手部材１を継手先端側（プラグ５０側）に移動させる（図２（ａ）参照）。この際、継手部材１は、例えばカバー部４０が保持された状態で、継手先端側に移動される。そして、接続部５１のプラグ先端側端部を、上記非接続位置に位置する作動部８０の第２シール部材６５に当接させる。ここまでの状態が、非接続状態である。
【００５７】
接続部５１のプラグ先端側端部を第２シール部材６５に当接させた状態で、第１コイルバネ８１の付勢力に抗して継手部材１をさらに継手先端側に移動させ、作動部８０を継手基端側に向けて押し込む（図２（ｂ）参照）。この状態が、中間状態である。
【００５８】
そして、作動部８０が上記接続位置まで押し込まれると、ロック用ボール２４の径方向内側にはロック用凹部５３が位置し、ロック用ボール２４は径方向内側に移動可能な状態となる。なお、ロック用ボール２４には、傾斜面３２を介して第２コイルバネ３５の付勢力が作用し、ロック用ボール２４は径方向内側に向かう力を受ける。そのため、ロック用ボール２４はロック用凹部５３に嵌り込み、継手部材１とプラグ５０とは軸方向における相対移動が不可能な状態となる（図２（ｃ）参照）。この状態が、接続状態である。
【００５９】
なお、中間状態から接続状態への切り替わり時には、ロック用ボール２４がロック用凹部５３に嵌まり込むのと同時に、ロック用ボール２４によるスリーブ部３０の継手先端側端部への移動規制が解除される。よって、スリーブ部３０は、第２コイルバネ３５の付勢力により、スリーブ側発音当接部３３がカバー側発音当接部４３に当接するまで継手先端側に移動する。この際、スリーブ側発音当接部３３は、第２コイルバネ３５の付勢力により定まる所定の速度を有した状態でカバー側発音当接部４３に当接（衝突）するため、この当接に伴い接続音が発生する。すなわち、本体部２０がプラグ５０を受入れる接続操作時に、より正確には、当該接続操作の完了時に、スリーブ側発音当接部３３とカバー側発音当接部４３との当接に伴う接続音が発生する。なお、スリーブ側発音当接部３３がカバー側発音当接部４３に当接して当該カバー側発音当接部４３を径方向外側に押し上げることで、すなわち、カバー側発音当接部４３がスリーブ側発音当接部３３に乗り上げることで、接続音が発生する構成としても好適である。
【００６０】
以上のように、プラグ５０に対する継手部材１の接続操作の完了を知らせる接続音は、スリーブ部３０とカバー部４０との間に形成された発音当接部４により発音される。このように発音当接部４を、スリーブ部３０とカバー部５０という何れも本体部２０に対して径方向外側に配設される部材の間に設けることで、発音当接部４にて発生した接続音を、シール部材６６，６７が配設されているスリーブ部３０と本体部２０との間に形成される空間を通らせることなく継手部材１の外部空間に伝搬させることができ、また、発音当接部４から継手部材１の外部空間に至る音響伝播経路長を短く抑えることが可能となっている。具体的には、発音当接部４が発音した接続音は、主に、当該発音当接部４より継手先端側の突状部４１の径方向内側端部とスリーブ部３０の外周面との間を通って外部空間に伝搬する。これにより、本実施形態のように、スリーブ突出阻止部２１に対して継手先端側及び継手基端側の双方にそれぞれシール部材６６，６７を配設する構成としても、発音当接部４にて発生した接続音を外部空間に良好に伝播させることが可能となっている。
【００６１】
３．その他の実施形態
（１）上記の実施形態では、スリーブ側発音当接部３３とカバー側発音当接部４３とが当接した状態で、傾斜面３２がスリーブ突出阻止部２１より継手基端側に位置し、当該スリーブ突出阻止部２１に当接しないように構成されている場合を例として説明した。しかし、本発明の実施形態はこれに限定されるものではない。従って、例えば、スリーブ側発音当接部３３とカバー側発音当接部４３とが当接した状態で、傾斜面３２がスリーブ突出阻止部２１に当接するように構成することも、本発明の好適な実施形態の一つである。この場合、接続音は、発音当接部４だけでなく、傾斜面３２とスリーブ突出阻止部２１との当接部位においても発生することになる。また、スリーブ突出阻止部２１を、法線方向が軸方向に交差する傾斜面ではなく、法線方向が軸方向に平行な面により構成しても好適である。
【００６２】
（２）上記の実施形態では、カバー側発音当接部４３とスリーブ突出阻止部２１とを別個に設ける場合を例として説明した。しかし、本発明の実施形態はこれに限定されるものではない。すなわち、カバー側発音当接部４３及びスリーブ突出阻止部２１の双方の部位は、共に、スリーブ部３０の継手先端側への突出を阻止する機能を有するため、スリーブ突出阻止部２１を備えない構成とすることも、本発明の好適な実施形態の一つである。この構成では、カバー側発音当接部４３がスリーブ突出阻止部として機能する。
【００６３】
（３）上記の実施形態では、スリーブ突出阻止部２１に対して継手先端側及び継手基端側の双方にそれぞれシール部材（第３シール部材６６及び第４シール部材６７）が配設されている場合を例として説明した。しかし、本発明の実施形態はこれに限定されるものではなく、第３シール部材６６及び第４シール部材６７の何れか一方のみを備える構成としても好適である。
【００６４】
（４）上記の実施形態では、カバー部４０がスリーブ部３０の継手基端側の一部を径方向外側から覆う被覆部４２を備え、発音当接部４が、スリーブ部３０の外周面に設けられたスリーブ側発音当接部３３と、被覆部４２の内周面に設けられたカバー側発音当接部４３とにより形成されている場合を例として説明した。しかし、本発明の実施形態はこれに限定されるものではない。従って、被覆部４２がスリーブ部３０の全てを径方向外側から覆うように構成しても良い。
【００６５】
（５）上記の実施形態では、カバー側発音当接部４３は、被覆部４２の内周面から径方向内側に突出して形成された突状部４１により形成され、スリーブ側発音当接部３３は、スリーブ部３０の外周面に形成された引退部３４の継手基端側の端部により形成されている場合を例として説明した。しかし、本発明の実施形態はこれに限定されるものではない。従って、例えば、スリーブ側発音当接部３３が、スリーブ部３０の外周面から径方向外側に突出して形成された突状部により形成され、カバー側発音当接部４３が、カバー部４０の内周面に形成された引退部の継手先端側の端部により形成されている構成とすることも、本発明の好適な実施形態の一つである。この場合、カバー部４０の内周面に形成される引退部は、カバー部４０に対する上記突状部の相対移動範囲に対応した軸方向における一部の領域において、カバー部４０の内周面から径方向外側に引退して形成される。また、カバー側発音当接部４３とスリーブ側発音当接部３３とを、傾斜面３２とスリーブ突出阻止部２１のように、法線方向が互いに略平行となる対向面により構成することも、本発明の好適な実施形態の一つである。
【００６６】
（６）上記の実施形態では、突状部４１及び引退部３４の双方が、周方向全域に亘って一様に形成されている場合を例として説明した。しかし、本発明の実施形態はこれに限定されるものではない。従って、突状部４１が周方向の一部の領域に形成される構成としたり、突状部４１及び引退部３４の双方が、周方向の一部の領域に形成される構成とすることも、本発明の好適な実施形態の一つである。
【００６７】
（７）上記の実施形態では、プラグロック機構２２が、本体部２０における周方向の所定位置に形成された当該本体部２０の外周面と内周面とを連通する貫通孔２５と、貫通孔２５に径方向移動自在に装着されるロック用ボール２４とを備える場合を例として説明した。しかし、本発明の実施形態はこれに限定されるものではなく、異なる構成のプラグロック機構を採用することもできる。
【００６８】
（８）上記の実施形態では、第１シール部材６１が本体部２０の内周面に形成された周方向に沿う溝部に配設されている場合を例として説明した。しかし、本発明の実施形態はこれに限定されるものではなく、第１シール部材６１が接続部５１の外周面に形成された周方向に沿う溝部に配設されている構成とすることも、本発明の好適な実施形態の一つである。また、継手部材１が第１シール部材６１を備えない構成としても好適である。
【００６９】
（９）上記の実施形態では、第２シール部材６５が作動部８０の継手先端側の端部に配設されている場合を例として説明した。しかし、本発明の実施形態はこれに限定されるものではなく、第２シール部材６５が接続部５１のプラグ先端側の端部に配設されている構成とすることも、本発明の好適な実施形態の一つである。
【００７０】
（１０）上記の実施形態では、第３シール部材６６が本体部２０の外周面に形成された周方向に沿う溝部に配設され、第４シール部材６７がスリーブ部３０の内周面に形成された周方向に沿う溝部に配設されている場合を例として説明した。しかし、本発明の実施形態はこれに限定されるものではない。従って、例えば、第３シール部材６６がスリーブ部３０の内周面に形成された周方向に沿う溝部に配設されている構成としたり、第４シール部材６７が本体部２０の外周面に形成された周方向に沿う溝部に配設されている構成とすることも、本発明の好適な実施形態の一つである。
【００７１】
（１１）上記の実施形態では、第１シール部材６１、第２シール部材６５、第３シール部材６６、及び第４シール部材６７の全てが、略円環状に成形されたゴム部材である場合を例として説明した。しかし、本発明の実施形態はこれに限定されるものではなく、これらのシール部材の材質としてゴム以外のものを採用しても良い。また、これらのシール部材の周方向に直交する断面における形状は、上記の実施形態における形状に限られず、丸状（例えば、Ｏリング等）、四角状、Ｘ字状、Ｄ字状、Ｔ字状、Ｕ字状、Ｖ字状、Ｌ字状、Ｙ字状等のあらゆる形状を採用することができる。
【００７２】
（１２）上記の実施形態では、第２コイルバネ３５が、本体部２０の継手基端側からスリーブ部３０を継手先端側に付勢する付勢機構である場合を例として説明した。しかし、本発明の実施形態はこれに限定されるものではなく、付勢機構としてコイルバネ以外のものを採用することも、本発明の好適な実施形態の一つである。
【００７３】
（１３）上記の実施形態では、プラグ５０から継手部材１にガスが供給される場合を例として説明した。しかし、本発明の実施形態はこれに限定されるものではなく、継手部材１からプラグ５０にガスが供給される構成とすることも、本発明の好適な実施形態な一つである。この場合、継手部材１の本体部２０が押圧部材２６を備えない構成としたり、継手部材１におけるガスの流通の状態が、作動部８０の本体部２０に対する軸方向位置により開放状態と閉止状態との間で切り替わる構成とすると好適である。
【産業上の利用可能性】
【００７４】
本発明は、プラグに接続された際に接続音が発生する継手部材に好適に利用することができる。
【符号の説明】
【００７５】
１：継手部材
４：発音当接部
２０：本体部
２１：スリーブ突出阻止部
２２：プラグロック機構
２４：ロック用ボール
２５：貫通孔
３０：スリーブ部
３３：スリーブ側発音当接部
３４：引退部
３５：第２コイルバネ（付勢機構）
４０：カバー部
４１：突状部
４２：被覆部
４３：カバー側発音当接部
５０：プラグ
５１：接続部
６６：第３シール部材（シール部材）
６７：第４シール部材（シール部材）
【図１】
0005576541.tif 000002
【図２】
0005576541.tif 000003
【図３】
0005576541.tif 000004